(57)【特許請求の範囲】
【請求項１】
四角形の平板からなる内箱底板と、該内箱底板の左端上方に装着され、四角形の平板からなる内箱左側板と、該内箱底板の右端上方に装着され、四角形の平板からなる内箱右側板と、該内箱底板の奥側に装着され、四角形の平板からなる内箱奥板と、により構成される前面が開口した内箱と、
四角形の平板からなる外箱天板と、該外箱天板の左端下方に装着され、前記内箱左側板より大形で四角形の平板からなり、内面の左右側辺および上辺に沿った逆Ｕ字形をした左シャッターガイド溝が形成された外箱左側板と、該外箱天板の右端下方に装着され、前記内箱右側板より大形で四角形の平板からなり、内面の左右側辺および上辺に沿った逆Ｕ字形をした右シャッターガイド溝が形成された外箱右側板と、該外箱天板の奥側に装着され、四角形の平板からなる外箱奥板と、により構成される前面が開口した外箱と、
前記左シャッターガイド溝と前記右シャッターガイド溝に係止されるスライドシャッターと、
前記外箱の高さを調節する高さ調節手段と、
前記高さ調節手段により前記外箱の高さが高くなったときの外箱左側板の下端と内箱底板の上面との間に生じる最大の隙間間隔より長い形状で、前記外箱左側板の前方面長手方向に装着される左シャッターガードと、
該高さ調節手段により該外箱の高さが高くなったときの外箱右側板の下端と内箱底板上面との間に生じる最大の隙間より長い形状で、前記外箱右側板の前方面長手方向に装着される右シャッターガードと、
前記内箱底板の前面長手方向に設けられ、該内箱底板の上面より高い板状のシャッターストッパーと、を有し、
前記スライドシャッターが装着された前記外箱は、前面が開口した前記内箱の前記内箱左側板と前記内箱右側板の外側に配置されるように、該外箱を上部から該内箱に装着し、該外箱の前面開口は、前記スライドシャッターを上下にスライドさせることにより開閉するとともに、
前記左シャッターガード、前記右シャッターガード、およびシャッターストッパーにより、前記高さ調節手段により該外箱の高さが高くなったときでも、スライドシャッターが前方へ飛び出さないようにすることができる転倒防止収納ボックス。
【請求項２】
家具天板と天井との隙間に嵌め込み、前記外箱天板で天井を面で支え、前記内箱底板で家具を面で支えることを特徴とする請求項１記載の転倒防止収納ボックス。
【請求項３】
前記高さ調節手段は、
前記内箱左側板の前方側と後方側にそれぞれ２列で、縦方向に上下等間隔に複数孔設けられ、２列の１列目の孔と２列目の孔が水平方向同一位置に配置された内箱左係止孔と、
前記内箱右側板の前方側と後方側にそれぞれ２列で、縦方向に前記内箱左係止孔と同一の上下等間隔に複数孔設けられ、２列の１列目の孔と２列目の孔が水平方向同一位置に配置された内箱右係止孔と、
前記外箱左側板の前方側と後方側にそれぞれ２列で、縦方向に上下等間隔に複数孔設けられ、２列の１列目の個々の孔の上下中央に２列目の個々の孔が配置された外箱左係止孔と、
前記外箱右側板の前方側と後方側にそれぞれ２列で、縦方向に前記外箱左係止孔と同一の上下等間隔に複数孔設けられ、２列の１列目の個々の孔の上下中央に２列目の個々の孔が前記外箱左係止孔同様に配置された外箱右係止孔と、を有し、
前記内箱左係止孔および前記外箱左係止孔、前記内箱右係止孔および前記外箱右係止孔の２列の１列目の孔または２列目の孔のいずれかに係止棒を挿入することにより、前記外箱の高さを調節することができる請求項１記載の転倒防止収納ボックス。
【請求項４】
前記内箱左側板と接する位置から内部方向に、前記内箱左側板の前方側と後方側にそれぞれ２列設けられた内箱左係止孔と水平方向同一間隔の左棚受け溝、および前記内箱右側板と接する位置から内部方向に、前記内箱右側板の前方側と後方側にそれぞれ２列設けられた内箱右係止孔と水平方向同一間隔の右棚受け溝がそれぞれ裏面に設けられた棚板を、さらに有し、
前記棚板の左棚受け溝および右棚受け溝を係止棒に係止させることにより、前記棚板を設置する請求項１記載の転倒防止収納ボックス。
【請求項５】
前記内箱底面の裏面の四隅に貼付される粘着剤付シートを備え、高さを有する補高部材を、さらに有し、
前記補高部材を内箱底板の下部に装着することにより、冷蔵庫の上部との間に放熱空間を確保するができることを特徴とする請求項１記載の転倒防止収納ボックス。
【発明の詳細な説明】
【技術分野】
【０００１】  本発明は、地震発生時の家具転倒を防止するため、家具と天井の隙間空間に設置する収納を兼ねた転倒防止収納ボックスに関するものである。
【背景技術】
【０００２】  従来の家具転倒防止は、木造住宅では壁面内に存する柱や縦桟に帯板を装着し、帯板と家具天板をＬ型金具で固定する方法や柱や鴨居等と家具の天板に家具転倒防止金具を取り付け、長さ調節が可能なチェーン・ワイヤ・ベルト等で牽引し、主に家具の前倒れを防止する方法があり、高さ調節が可能なポール通称突っ張り棒で家具と天井との空間を上下方向に支えるポール方式等があった。
これらの転倒防止金具の装着は壁面や家具を損傷し、補強材や金具が視界に入り、室内の美観を損なうため敬遠された。
ポール方式は、木造住宅の天井の耐圧力が脆弱な場合は、天井の持ち上がりや破損を回避するため天井部分を支えるポール上部に天井固定板を装着し、２本乃至４本のポールを連結してポールの転倒を防止している。天井の耐圧力があるマンション等のコンクリート造住居では前記ポール式の利用が多いが、激しい横揺れ・捻じれ揺れ・長周期地震動が繰り返されるとポールの転倒が懸念され、ポールが視界に入り室内の美観を損なう欠点があった。
上記の欠点を回避するため、段ボール製の底板のない上箱と天板のない下箱を上下から組み合わせ、高さ調整が可能な２本のポールをボックスに内蔵して天井と家具を支え、前面がオープンな収納スペースを設けた家具転倒防止機能付き収納箱があった。
しかし、地震発生時に収納物が飛び出し、落下する危険性があり、段ボール製であるため美観上好ましくなく高さ調整時の段ボール板の切断に注意を要する（例えば、特許文献１参照）。
収納ボックスの背板（第１の板材）の後方に上下方向にスライドする第２の板材を装着し、天井面に密着させた状態で第２の板材に横方向の２列のスリッドを設け、ネジ止めして高さを維持する転倒防止家具および転倒防止装置がある。当該製品の天井固定板である第２の板材の幅が狭く、マンション等の天井の耐圧力が高く且つ均一な場合や木造建築の天井裏の野縁と交差する方向に設置すれば問題ないが、天井の裏面に存する野縁の方向と同平行に設置すると天井の持ち上がりや損傷の恐れがあり、収納物の飛び出しが懸念され、且つ第１の板と第２の板を固定するネジ穴の間隔が広く高さの調整が難しい（例えば、特許文献２参照）。
家具調収納ボックスの天板にボルト孔を開け、天井と家具との隙間空間を調節するボルトを貫通させ、天井を安定して支え且つ振動を吸収するためにボルトにバネを装着し、天井固定板の下部に埋め込んだ鬼目に、ドライバーでネジ切り棒を回転して高さを調節する家具上置タイプのバネ式突っ張り家具転倒防止具がある。当該品は縦揺れの地震には有効であるが、地震による前後揺れや横揺れ等の衝撃が２カ所の鬼目部分に集中し、家具自重と収容物重量の総重量により受ける衝撃は大きく、天井固定板と鬼目・バネ・ボルトの分離・破壊が危惧される。
また、上記を応用し、耐震ラッチ付扉付き収納ボックスを組み合わせた冷蔵庫上置きタイプの冷蔵庫転倒防止収納ボックスがあったが、幅６０ｃｍタイプの重量は１６ｋｇあり、重量が大きいのが難点である（例えば、特許文献３参照）。
さらに、下箱の収納ボックスとパンタグラフ式ジャッキを内蔵した上箱で構成され、家具と天井の隙間空間に嵌め込んで家具の転倒を防止する収納式家具転倒防止ボックスがある。隙間空間の調節は、ジャッキのロットを専用ドライバーで回転して行われ、専用ドライバーは、市販のインパクトドライバーの六角棒を回転ロットの先端に溶接したもので、専用ドライバーの管理が要求され、収納ボックスから収納物を取り出すためには、前記専用ドライバーでジャッキボックス内のジャッキのロットを回転して高さを下げて上箱を降ろし、次に下箱の収納ボックスを降ろすという二重の手間を要し、パンタグラフ式ジャッキは金属製であり、重量が重いのも難点であった。（例えば、特許文献４参照）。【０００３】  上記の他、超発泡ダンパーと布製粘着剤を使ったＡＢＳ樹脂製のＬ型・Ｔ型の家具転倒防止器具があった。家具転倒防止に関する商品はホームセンターやネット通販で販売されているが、同商品の布製粘着剤と壁紙との粘着力は確保されても、壁紙の下地材が石膏ボードである場合は、石膏ボードの表装材と共に剥離する恐れがあった。
上記の如く各方式には一長一短があり、家具転倒防止用品・用具を設置する顧客の多くは、商品特徴・住宅構造・壁面構造や材質等に関する知識不足と設置方法が解らず、誤った商品選択や設置により、地震が発生した際に本来の機能が発揮されない懸念があった。
また、取り付けが比較的容易であるＬ型金具やポール式商品の設置は、壁面や家具に傷が付き、金具や補強材等が視界に入るため室内の美観上敬遠され、躊躇し、結果的に家具転倒防止対策の遅れに繋がって来た。
【先行技術文献】
【０００４】
【特許文献１】特許公開２０１３−２１５６０８号公報
【特許文献２】特許公開２０１２−１３５４２９号公報
【特許文献３】特許公開２００６−１５８８０９号公報
【特許文献４】実用新案登録第３１２４９８０号
【発明の概要】
【発明が解決しようとする課題】
【０００５】  従来の家具転倒防止用具は、家具および天井の高さが多種多様であるため、家具と天井の隙間空間を埋める高さ調節が難しく、地震による前後・左右・上下・捻じれ等の複雑な揺れによる天井の破損や家具の損傷が懸念され、壁面空間を有効活用するための収納物の飛び出しを防止した収納スペースの確保と家具転倒防止が課題である。
特に、冷蔵庫の重量は重く、転倒による被害は甚大であるが、適切な冷蔵庫の転倒防止用具は少なく、無防備状態の冷蔵庫の転倒防止が課題である。
【課題を解決するための手段】
【０００６】  本発明は上記目的を達成するために、
四角形の平板からなる内箱底板と、該内箱底板の左端上方に装着され、四角形の平板からなる内箱左側板と、該内箱底板の右端上方に装着され、四角形の平板からなる内箱右側板と、該内箱底板の奥側に装着され、四角形の平板からなる内箱奥板と、により構成される前面が開口した内箱と、
四角形の平板からなる外箱天板と、該外箱天板の左端下方に装着され、前記内箱左側板より大形で四角形の平板からなり、内面の左右側辺および上辺に沿った逆Ｕ字形をした左シャッターガイド溝が形成された外箱左側板と、該外箱天板の右端下方に装着され、前記内箱右側板より大形で四角形の平板からなり、内面の左右側辺および上辺に沿った逆Ｕ字形をした右シャッターガイド溝が形成された外箱右側板と、該外箱天板の奥側に装着され、四角形の平板からなる外箱奥板と、により構成される前面が開口した外箱と、
前記左シャッターガイド溝と前記右シャッターガイド溝に係止されるスライドシャッターと、
前記外箱の高さを調節する高さ調節手段と、
前記高さ調節手段により前記外箱の高さが高くなったときの外箱左側板の下端と内箱底板の上面との間に生じる最大の隙間間隔より長い形状で、前記外箱左側板の前方面長手方向に装着される左シャッターガードと、
該高さ調節手段により該外箱の高さが高くなったときの外箱右側板の下端と内箱底板上面との間に生じる最大の隙間より長い形状で、前記外箱右側板の前方面長手方向に装着される右シャッターガードと、
前記内箱底板の前面長手方向に設けられ、該内箱底板の上面より高い板状のシャッターストッパーと、を有し、
前記スライドシャッターが装着された前記外箱は、前面が開口した前記内箱の前記内箱左側板と前記内箱右側板の外側に配置されるように、該外箱を上部から該内箱に装着し、該外箱の前面開口は、前記スライドシャッターを上下にスライドさせることにより開閉するとともに、
前記左シャッターガード、前記右シャッターガード、およびシャッターストッパーにより、前記高さ調節手段により該外箱の高さが高くなったときでも、スライドシャッターが前方へ飛び出さないようにすることができるものである。【０００７】  また、第２の解決手段は、上記転倒防止収納ボックスを、家具天板と天井との隙間に嵌め込み、前記外箱天板で天井を面で支え、前記内箱底板で家具を面で支える。【０００８】  また、第３の解決手段は、高さ調節手段は、
前記内箱左側板の前方側と後方側にそれぞれ２列で、縦方向に上下等間隔に複数孔設けられ、２列の１列目の孔と２列目の孔が水平方向同一位置に配置された内箱左係止孔と、
前記内箱右側板の前方側と後方側にそれぞれ２列で、縦方向に前記内箱左係止孔と同一の上下等間隔に複数孔設けられ、２列の１列目の孔と２列目の孔が水平方向同一位置に配置された内箱右係止孔と、
前記外箱左側板の前方側と後方側にそれぞれ２列で、縦方向に上下等間隔に複数孔設けられ、２列の１列目の個々の孔の上下中央に２列目の個々の孔が配置された外箱左係止孔と、
前記外箱右側板の前方側と後方側にそれぞれ２列で、縦方向に前記外箱左係止孔と同一の上下等間隔に複数孔設けられ、２列の１列目の個々の孔の上下中央に２列目の個々の孔が前記外箱左係止孔同様に配置された外箱右係止孔と、を有し、
前記内箱左係止孔および前記外箱左係止孔、前記内箱右係止孔および前記外箱右係止孔の２列の１列目の孔または２列目の孔のいずれかに係止棒を挿入することにより、前記外箱の高さを調節することができるものである。【００１０】  また、第４の解決手段は、上記内箱左側板と接する位置から内部方向に、上記内箱左側板の前方側と後方側にそれぞれ２列設けられた内箱左係止孔と水平方向同一間隔の左棚受け溝、および上記内箱右側板と接する位置から内部方向に、上記内箱右側板の前方側と後方側にそれぞれ２列設けられた内箱右係止孔と水平方向同一間隔の右棚受け溝がそれぞれ裏面に設けられた棚板を、さらに有し、
上記棚板の左棚受け溝および右棚受け溝を係止棒に係止させることにより、上記棚板を設置する。
上記内箱内に棚板を係止する該棚板の裏面の左右および前方側と後方側２カ所に上記内箱係止孔と同一間隔の棚受け溝を設け、該内箱係止孔に係止棒を装着して該棚板を設置する。【００１１】  第５の解決手段は、上記内箱底面の裏面の四隅に貼付される粘着剤付シートを備え、高さを有する補高部材を、さらに有し、
上記補高部材を内箱底板の下部に装着することにより、冷蔵庫の上部との間に放熱空間を確保することができることを特徴とし、冷蔵庫転倒防止収納ボックスとして利用する。
【発明の効果】
【００１２】  以上の説明で明らかなように、本発明は次に列記する効果が得られる。
本発明は、内箱と外箱の２種類のボックスを組み合わせ、家具と天井との隙間空間に嵌め込み、外箱天板は天井を支え、内箱底板は家具を支え、家具と一体化して支持力を保持し、家具の転倒を防止する。【００１３】  前記外箱天板で天井を面で支えることにより、天井への負荷を分散して天井の持ち上がりや破損を回避し、内箱底板で家具を面で支えることにより、家具の損傷を最小限に止め室内美観を保持する。【００１４】  前記係止孔の配置が異なる内箱側板と外箱側板を接触して上下方向にずらし、前列乃至後列の係止孔を選択することにより、天井と家具との隙間空間を１ｃｍ単位で調節することができる。【００１５】  前記により、転倒防止収納ボックスを高くした場合においても、スライドシャッターを左右の外箱側板の前面に装着したシャッターガードに沿ってスライドシャッター収納溝まで降ろすことにより密閉され、スライドシャッター収納物の飛び出し防止と収納物の破損を回避し、防災用品や非常食等の収納庫として利用し、壁面空間を有効に活用できる。【００１６】  前記内箱側板に開けられた係止孔は、棚板を装着する係止棒孔と併用し、収納物に応じて棚板の高さを調節できる。【００１７】  前記（００１３）により、家電製品で最大且つ重量物である冷蔵庫の天板上に最低５ｃｍの放熱空間が求められる冷蔵庫の転倒防止は困難であったが、滑り止め剤を貼付した補高部材を内箱底板の四隅に嵌め込むことにより放熱空間が確保され、冷蔵庫の転倒防止が可能である。【００１８】  前記転倒防止収納ボックスと他の転倒防止収納ボックスを連結金具で連結することで転倒防止収納ボックス幅の拡張が可能であり、さらに、転倒防止収納ボックスごとに高さを調節することができる。【００１９】  本発明は、上記のとおり、従来の欠点を解消し、地震による人的・物的被害を最小限に止めて家屋からの脱出・避難率を高め、結果的に被災者救助に要する人員・時間・費用等を最小限に止めることができる。【００２０】  本発明は、サイズ・デザイン・材質等の変更により、多種多様な利用を可能にする。
【図面の簡単な説明】
【００２１】
【図１】  本発明の実施形態を表す正面図である。
【図２】  本発明の実施形態を表す図１におけるＡ−Ａ線断面図である。
【図３】  本発明の実施形態を表す内箱と外箱の装着状態を示す正面図である。
【図４】  本発明の実施形態を表す高さが最高時の正面図である。
【図５】  本発明の実施形態を表す高さが最高時のＢ−Ｂ線断面図である。
【図６】  本発明の実施形態を表すスライドシャッター開口時の正面図である。
【図７】  本発明の実施形態を表す右前方からの斜視図である。
【図８】  本発明の実施形態を表す左後方からの斜視図である。
【図９】  本発明の実施形態を表す高さが最低時の左側面図である。
【図１０】  本発明の実施形態を表す高さが最高時の左側面図である。
【図１１】  本発明の実施形態を表す高さが最低時の右面透視図である。
【図１２】  本発明の実施形態を表す設置状態を示す正面図である。
【図１３】  （Ａ）本発明の実施形態を表す内箱の構造正面図である。（Ｂ）本発明の実施形態を表す外箱の構造正面図である。（Ｃ）本発明の実施形態を表すスライドシャッターの側面図である。
【図１４】  （Ａ）本発明の実施形態を表す内箱底板溝加工の拡大正面図である。（Ｂ）本発明の実施形態を表す内箱底板溝加工の拡大平面図である。（Ｃ）本発明の実施形態を表すスライドシャッター収納部分拡大側面図である。
【図１５】  本発明の実施形態を表す冷蔵庫転倒防止収納防止ボックスとしての設置正面図である。
【図１６】  本発明の実施形態を表す転倒防止収納ボックスの連結状態を示す正面図である。
【図１７】  （Ａ）本発明の実施形態を表すベッドサイドキャビネットの正面図である。（Ｂ）本発明の実施形態を表すベッドサイドキャビネット開口時の正面図である。
【図１８】  本発明の実施形態を表す食器棚の開口時の正面図である。
【図１９】  本発明の実施形態を表す食器棚の右面透視図である。
【発明を実施するための形態】
【００２２】  以下、本発明の実施の形態を図１〜図１９に基づいて説明する。
【００２３】  図１において、１は内箱底板で、２Ａは内箱左側板で、２Ｂは内箱右側板で、５は外箱天板で、６Ａは外箱左側板で、６Ｂは外箱左側板で、１０は転倒防止収納ボックスに係止されるスライドシャッターで、１８は前記内箱底板前面に装着するシャッターストッパーで、１６は転倒防止収納ボックスの高さを高くした際に発生する隙間からスライドシャッターと収納物の外部への飛び出しを防止するためのシャッターガードで、Ａ−Ａ線は本発明を左方向から見た断面の位置を示した正面図である。
【００２４】  図２において、３は内箱奥板で、７は外箱奥板で、４は内箱で、８は外箱であり、内箱左側板２Ａと内箱右側板２Ｂの背面に内箱奥板３が装着され、外箱左側板６Ａと外箱右側板６Ｂの背面に外箱奥板７が装着され、内箱と外箱が上下から組み合わされ、三次元方向からの圧力に対応する二重構造の構造体であることを示し、スライドシャッターは、シャッターガイド溝９に沿って転倒防止収納ボックス内に収納され、１８はスライドシャッターと収納物の飛び出しを防止するシャッターストッパーで、１９は地震による衝撃緩和と滑り止めを兼ねた耐震マットで、２０はスライドシャッターを開閉するための取っ手で、２２は転倒防止収納ボックス内に設置する高さが調節できる棚板である。
【００２５】  図３は、内箱４と外箱８を合体する方法を示す正面図であり、スライドシャッター１０を外箱左側板と外箱右側板の内面に形成された前記シャッターガイド溝９に沿って係止した外箱８を上部から内箱４に被せて装着することを示すものである。
【００２６】  図４は、転倒防止収納ボックスの高さを最高にした状態の正面図であり、Ｂ−Ｂ線は本発明を左方向から見た断面の位置を示すものである。
【００２７】  図５は、転倒防止収納ボックスの高さを最高にした状態の左側面から見た断面図であり、内箱４・外箱８と上記スライドシャッター１０の位置関係を示すものである。
【００２８】  図６は、前記転倒防止収納ボックスの高さを最高にし、前記スライドシャッター１０を全開した状態を示す正面図であり、左右の内箱側板と外箱側板の前方と後方の２カ所に内箱係止孔１２と外箱係止孔１３に皿ＣＡＰ（六角穴付ボタンボルト）１４を挿入して蝶ネジ１５で固定し、左右の前記内箱側板に内箱係止孔１２に係止棒２１を係止し、棚板２２の裏面の前後２カ所に２つずつ設けられた受け溝を有する棚板を設置し、地震による棚板の前後へのズレを防止し、安定して係止することを示すものである。
【００２９】  図７は、転倒防止収納ボックスの右前面からの斜視図であり、内箱４を外箱８が覆い被さる状態で構造体を形成し、スライドシャッター１０が前面を遮蔽し、内箱右側板の内箱係止孔１２と外箱右側板６Ｂの外箱係止孔１３に皿キャップ（六角穴付ボタンボルト）１４を挿入して内箱４と外箱８を固定し、シャッターガード１６を装着して釘１７で固定し、スライドシャッター１０と収納物が前方への飛び出しを防止することを示すものである。
【００３０】  図８は、転倒防止収納ボックスの左後方からの斜視図であり、外箱８が上記内箱４より後方に迫り出していることを示し、迫り出し幅はスライドシャッター１０を開口した際にスライドシャッター１０を収納するスペースであることを示すものである。
【００３１】  図９は、外箱８を最下部まで下げた状態の左側面から見た側面図であり、外箱係止孔１３と内箱係止孔１２との開孔の位置を示すものであり、外箱左側板の係止孔の開孔は前方と後方の２カ所に縦方向に２列状態でジグザグに開孔され、内箱左側の左側板の係止孔の開孔は前方と後方の２カ所に縦方向に２列状態で水平に開孔された状態を示すものである。
【００３２】  図１０は、転倒防止収納ボックスの高さを最高にした状態の左側面から見た側面図であり、外箱左側板の係止孔は前方側と後方側に上下間隔が同一で、且つ左右間隔が同一で縦方向にジグザグに２列設けられ、内箱左側板の係止孔は前方側と後方側に上下間隔が同一で、且つ左右間隔が同一で縦方向に水平に２列設けられ、１列目または２列目の係止孔を選択することにより、上下方向の係止孔の間隔は１／２の間隔で高さ調節ができることを示すものである。
【００３３】  図１１は、転倒防止収納ボックスの高さが最低の状態で、家具天板フレームコアＤと天井Ｃとの隙間空間に設置した状態を示す右側内面の透視図であり、求める高さの内箱右側板２Ｂと外箱右側板６Ｂの係止孔を選択し、外箱右側板６Ｂの外面から皿ＣＡＰ（六角穴付ボタンボルト）１４を外箱係止孔１３から挿入して蝶ネジ１５で固定する状態を示し、内箱右側板２Ｂの内箱係止孔１２を棚板用係止孔として併用して係止棒２１を前記内箱係止孔１２に装着し、棚板２２を設置した状態を示すものである。
【００３４】  図１２は、転倒防止収納ボックスの高さが最低の状態で、壁面Ｂに沿って家具天板フレームコアＤと天井Ｃとの隙間空間に転倒防止収納ボックスを設置した状態を示す正面図である。
【００３５】  図１３（Ａ）は、内箱４の構造を示す正面図であり、内箱底板１の上面に内箱底板溝２４を設けて左右の内箱側板を嵌め込み、左右の内箱側板の奥側に内箱奥板３を装着して左右方向への傾倒を防止することを示し、円内のア・イ・ウの符号は、図１４で示す内箱底板溝の位置と溝幅と深さを示す拡大図の視点方向を示すものである。
図１３（Ｂ）は、外箱８の構造を示す正面図であり、外箱天板５の裏面に溝を設け、左右の外箱側板を嵌め込み、左右の外箱側板の奥側に外箱奥板７を装着して左右方向への傾倒を防止するとともに外箱の強度を高めることを示すものである。
図１３（Ｃ）は、スライドシャッターの構造を示す側面図であり、耐摩耗性の高い粘着剤付シート２５にスライドシャッター１０を形成するための板材を貼り付け、転倒防止収納ボックス内に柔軟且つ円滑に収納させるとともに、スライドシャッター１０を開閉する際に指先等が挟まれないようにするため、スライドシャッター用板材の表面の上下部分に面取り加工を施すこと示している。
【００３６】  図１４（Ａ）は、内箱底板１に溝加工を形成するための拡大正面図であり、ア−１部分の溝幅は内箱右側板の幅と同一で、溝の深さは内箱底板１の厚さの１／２であり、ア−２部分のシャッター収納溝の深さは内箱底板の厚さの２／３である。
図１４（Ｂ）は、内箱底板１に内箱右側板２Ｂを装着するための溝加工を示す拡大平面図であり、イ−１部分の溝幅は内箱右側板２Ｂの幅と同一であり、イ−２部分の溝幅は前記スライドシャッター１０を形成する板幅より広く、溝の深さは内箱底板１の厚さの２／３である。
図１４（Ｃ）は、内箱底板１に設けたシャッター収納溝２４にスライドシャッター１０を完全に収納するための溝加工とスライドシャッター１０の位置関係を示す拡大側面図であり、シャッターガイド溝２４の溝幅はスライドシャッター１０を形成する板材の厚さより広く、深さは左右の内箱側板を内箱底板に装着する溝より深く形成することを示すものである。
【００３７】  図１５に示すとおり、前記転倒防止収納ボックスの幅を冷蔵庫の幅に合わせ、冷蔵庫上に設置した状態を示す正面図であり、内箱底板の裏面の四隅に、粘着剤付シート２５を貼り付けた補高部材２６を嵌め込むことにより、冷蔵庫Ｆの上部と内箱底板裏面間に冷蔵庫メーカーが求める５ｃｍの放熱空間を確保し、冷蔵庫の転倒防止収納ボックスとしての利用状態を示すものである。
【実施例１】
【００３８】  図１６は、本発明による内箱４と外箱８の各側板に開ける係止孔の配置は２種類で、且つ規格化されているため、転倒防止収納ボックスを連結ボルト２７で他の転倒防止収納ボックスを連結することにより転倒防止収納ボックスの幅の拡張が可能であり、転倒防止収納ボックスごとに高さが調整できることを示す正面図である。
【実施例２】
【００３９】  図１７（Ａ）示すとおり、高さ調節が不要な場合は、左右の内箱側板にシャッタースライド溝９を設けてスライドシャッター１０を係止し、スライドシャッターの上げ下げで扉の開閉が可能であり、観音扉式の扉の開閉スペースが節減され、スライドボード２８や引き出し３０を付加し、左右の内箱側板の内面に係止穴を開けて棚板を設置すれば、通路やスペースが狭隘な病・医院等の病室内のベッドサイドキャビネットとしての利用事例を示す正面図であり、本発明の構造を応用して高さ・幅・奥行きを変更し、デザインすることにより、ホテル客室用ベッドサイドキャビネットとして利用できる。
図１７（Ｂ）は、前記ベッドサイドキャビネットのスライドシャッター１０を全開した状態を示した正面図であり、求める高さに応じて係止穴を設け、左右の側板に係止棒２１を装着することにより棚板２２が設置できることを示している。
【実施例３】
【００４０】  図１７（Ａ）・図１７（Ｂ）および図１８に示すとおり、高さ調節が不要な場合は、外箱天板５と内箱底板１と左右の内箱側板と収納ボックスの中央に縦方向に装着する仕切り板２９を組み合わせ、外箱天板５と他の外箱天板を連結プレート３２で連結し、内箱底板１と他の内箱底板を連結プレート３２で連結して一体化し、内箱底板１の下部にＬ型棚受け金具３４を木ネジ３５で壁面Ｂに固定するするとともに、外箱天板５の後部にＬ型止め金具３３を木ネジ３５で壁面Ｂへ固定し、左右の内箱４の内面と仕切り板２９の左右両面に内箱係止孔１２と同様の間隔で係止穴を開け、求める高さの係止穴を選択して係止棒２１を装着し、棚板２２を設置することで、食器棚等の多目的収納ボックスとしての実施例を示す正面図である。【００４１】  図１８図で示すとおり、料亭、寿司店・レストラン等の飲食店では、狭いスペースで調理・食器の出し入れ・盛り付け・洗い等の煩雑な動きが多く、都度観音開きや引き違いの扉を開閉することは難しく、棚板２２の高さも自在に選択できるため、スペースが狭隘な場所で使い勝手の良い収納棚として利用することが可能である。
又、予震を感じた時点で、スライドシャッター１０を下げれば素早く前面が遮蔽され、食器等の飛び出しによる収納物の破損や従業員や顧客の被災を回避し、営業終了後や夜間・休日の地震発生による被害を軽減させ、スライドシャッター１０で遮蔽することで衛生管理上においても有効であることを示す実施例の正面図である。【００４２】  図１９は、前記１８図を左方向から見た透視図であり、連結プレート３２で一体化した収納ボックスを壁面Ｂに固定し、スライドシャッター１０を遮蔽した状態と棚板２２が係止棒２１で係止された状態を示すものである。
【実施例４】
【００４３】  官公庁等の公的機関のオフィスのロッカー上のファイルや書類等は機密に属するものが多く、スライドシャッターで遮蔽することにより機密保持機能を発揮するとともに、書類等の飛散や散失を防止することができる。
【実施例５】
【００４４】  病医院等でのアナログカルテの保管や医薬品・医療器具等の保管および薬局での医薬品等の収納物の飛び出しによる破損や薬品の飛散や混合による被害は甚大であり、社会に与える影響は大きく、地震発生時の防災・減災機能を備えた有効且つ安全な保管庫として利用できる。
【実施例６】
【００４５】  コンビニエンスストアー等の商品展示ケースとして利用が可能であり、閉店後や休日はスライドシャッター１０を下げれば前面を遮蔽できるため、衛生的で防犯上の効果もあり、この実施例では高さ調節が不要であるため、左右の内箱側板にシャッターガイド溝９を設け、棚板２２の高さに応じて係止棒穴を開け、仕切り板２９の左右にも同様の係止棒穴を開けることにより商品展示ケースごとに棚板２２が設置できる。
【産業上の利用可能性】
【００４６】  本発明によるスライドシャッターの開閉機能と係止棒穴の組み合わせと応用により、扉を開閉する際の開閉スペースを節約し、スペースを有効に活用することが可能であり、部材の追加やサイズをアレンジすれば、前記実施例１〜実施例６の他、洗面化粧台周辺の収納キャビネット、家庭内介護用品保管庫、トイレ用品収納キャビネット、押し入れ内部に設置する収納ボックス、揺れが発生する乗用車・トラック用荷物保管庫、書籍・物品保管庫、通路等の狭隘な場所での収納庫、扉を全開して収納物の出し入れを頻繁に行う場所での収納ボックスとして利用・応用が可能である。
【符号の説明】
【００４７】１    内箱底板
２Ａ  内箱左側板
２Ｂ  内箱右側板
３    内箱奥板
４    内箱
５    外箱天板
６Ａ  外箱左側板
６Ｂ  外箱右側板
７    外箱奥板
８    外箱
９    シャッターガイド溝
１０  スライドシャッター
１１  粘着剤付シート
１２  内箱係止孔
１３  外箱係止孔
１４  皿ＣＡＰ（六角穴付ボタンボルト）
１５  蝶ネジ
１６  シャッターガード
１７  釘
１８  シャッターストッパー
１９  耐震マット
２０  取っ手
２１  係止棒
２２  棚板
２３  内箱底板溝
２４  シャッター収納溝
２５  粘着剤付シート
２６  補高部材
２７  連結ボルト
２８  スライドボード
２９  仕切り板
３０  引き出し
３１  連結ボルト
３２  連結プレート
３３  Ｌ型止め金具
３４  棚受けＬ型金具
３５  木ネジ
ア    底板溝加工の拡大正面図
イ    底板溝加工の拡大平面図
ウ    シャッター収納溝の拡大側面図
Ａ    床
Ｂ    壁面
Ｃ    天井
Ｄ    家具（フレームコア）
Ｅ    家具
Ｆ    冷蔵庫
【要約】
【課題】家具と天井の隙間空間に上下方法に伸縮する箱状の構造体を嵌め込み、天井と家具を面で支えて家具の転倒を防止し、収納物の飛び出しを防止するためのスライドシャッターを設けた転倒防止収納ボックスを提供する。
【解決手段】  外箱と内箱の２種類の構造体を組み合わせ、前面にスライドシャッターを装着して６面体の構造とし、内箱側板と外箱側板に開けられた配列が異なる２列のボルト孔を選択することにより高さを調節して家具と天井の隙間空間を埋めて家具の転倒を防止するとともに、スライドシャッターの装着で収納スペースを確保した転倒防止収納ボックスである。
【選択図】図１【図１】
0005818286.tif 000002
【図２】
0005818286.tif 000003
【図３】
0005818286.tif 000004
【図４】
0005818286.tif 000005
【図５】
0005818286.tif 000006
【図６】
0005818286.tif 000007
【図７】
0005818286.tif 000008
【図８】
0005818286.tif 000009
【図９】
0005818286.tif 000010
【図１０】
0005818286.tif 000011
【図１１】
0005818286.tif 000012
【図１２】
0005818286.tif 000013
【図１３】
0005818286.tif 000014
【図１４】
0005818286.tif 000015
【図１５】
0005818286.tif 000016
【図１６】
0005818286.tif 000017
【図１７】
0005818286.tif 000018
【図１８】
0005818286.tif 000019
【図１９】
0005818286.tif 000020